(57)【要約】【課題】シャットダンパにより通風路を閉鎖する際の打音を低減する。【解決手段】空調用レジスタ１０は、空調用空気Ａ１の通風路１２を有する筒状のリテーナ１１と、リテーナ１１内に配置され、かつダンパ軸２８を支点として、通風路１２を開放する開位置と閉鎖する閉位置との間で傾動するシャットダンパ２５とを備える。シャットダンパ２５の周縁部の一部は、ダンパ軸２８から径方向における外方へ遠ざかった箇所において、同ダンパ軸２８の軸線Ｌ１に平行に延びる一対のシール部３１，３２により構成される。リテーナ１１の内壁面には、シャットダンパ２５が閉位置にあるときにシール部３１，３２がそれぞれ接触する一対の被シール部３４，３６が形成されている。上記軸線Ｌ１に沿う方向における各被シール部３４，３６の少なくとも一部は、同軸線Ｌ１に対し傾斜している。【選択図】図２
2020050137.tif 000002
【特許請求の範囲】
【請求項１】
空調用空気の通風路を有する筒状のリテーナと、
前記リテーナ内に配置され、かつダンパ軸を支点として、前記通風路を開放する開位置及び閉鎖する閉位置の間で傾動するシャットダンパと
を備え、
前記シャットダンパの周縁部の一部は、前記ダンパ軸から径方向における外方へ遠ざかった箇所において、同ダンパ軸の軸線に平行に延びる一対のシール部により構成され、
前記リテーナの内壁面には、前記シャットダンパが前記閉位置にあるときに前記シール部がそれぞれ接触する一対の被シール部が形成された空調用レジスタであって、
前記軸線に沿う方向における各被シール部の少なくとも一部は、同軸線に対し傾斜している空調用レジスタ。
【請求項２】
前記軸線に沿う方向における各被シール部の全体は、同軸線に対し傾斜している請求項１に記載の空調用レジスタ。
【請求項３】
前記軸線に沿う方向における各被シール部の全体は、同軸線に対し単一の角度で傾斜している請求項２に記載の空調用レジスタ。
【請求項４】
一対の前記被シール部は、前記軸線に対し互いに同一の角度で傾斜している請求項３に記載の空調用レジスタ。
【請求項５】
前記シャットダンパは、前記ダンパ軸から前記空調用空気の流れ方向における上流側へ延びる一対のダンパプレートを備え、
両ダンパプレートは、前記ダンパ軸を支点として互いに反対方向へ傾動され、
前記ダンパプレート毎の前記シール部は、前記開位置では両被シール部間の中間部分で互いに隣接し、前記閉位置では、前記流れ方向に対し傾斜した状態で前記被シール部に接触するものである請求項１〜４のいずれか１項に記載の空調用レジスタ。
【発明の詳細な説明】
【技術分野】
【０００１】
本発明は、空調装置から送られてくる空調用空気を通風路の吹出口から吹き出す空調用レジスタに関し、より詳しくは、通風路を開放及び閉鎖するシャットダンパが設けられた空調用レジスタに関する。
【背景技術】
【０００２】
車両のインストルメントパネルには、空調装置から送られてくる空調用空気を吹き出す空調用レジスタが組込まれている。この空調用レジスタの一形態として、空調用空気の通風路を有する筒状のリテーナと、通風路を開放及び閉鎖するシャットダンパとを備えるものが知られている。通風路は、上記空調用空気の流れ方向における下流端に吹出口を有している。また、シャットダンパは、通風路において上記流れ方向における吹出口よりも上流に配置されており、ダンパ軸を支点として、通風路を開放する開位置と、同通風路を閉鎖する閉位置との間で傾動する。シャットダンパの周縁部の一部は、ダンパ軸から径方向における外方へ遠ざかった箇所において、同ダンパ軸の軸線に平行に延びる一対のシール部によって構成されている。
【０００３】
一方、リテーナの内壁面には、シャットダンパが閉位置にあるときに上記シール部がそれぞれ接触する一対の被シール部が形成されている。
上記空調用レジスタによると、シャットダンパが開位置まで傾動されると、各シール部が被シール部から大きく離間し、通風路が大きく開放される。そのため、空調用空気をシャットダンパよりも上記流れ方向における下流側へ流れさせることができる。これに対し、シャットダンパが閉位置まで傾動されると、各シール部が、対応する被シール部に接触し、通風路が閉鎖される。そのため、空調用空気は、シャットダンパよりも上記流れ方向における下流側へ流れることを規制される。
【０００４】
上記シャットダンパの一形態として、ダンパ軸から上記流れ方向における上流側へ延びる一対のダンパプレートを備えるものが知られている（例えば、特許文献１参照）。両ダンパプレートは、ダンパ軸を支点として互いに反対方向へ傾動される。そして、開位置では、ダンパプレート毎のシール部が、両被シール部間の中間部分で、互いに隣接する。各シール部が被シール部から大きく離間し、通風路が大きく開放される。これに対し、閉位置では、各ダンパプレートが、上記流れ方向に対し傾斜した状態となる。ダンパプレート毎のシール部が、リテーナの対応する被シール部に接触し、通風路が閉鎖される。
【先行技術文献】
【特許文献】
【０００５】
【特許文献１】特開２０１８−１６２２８号公報
【発明の概要】
【発明が解決しようとする課題】
【０００６】
ところが、上記従来の空調用レジスタでは、シャットダンパが閉位置へ傾動されるときに、各シール部の全体が、対応する被シール部の全体に同時に当たり、打音が発生するおそれがある。
【０００７】
特に、上記特許文献１に記載されているように、シャットダンパが一対のダンパプレートを備える空調用レジスタでは、空調用空気が両ダンパプレートを開かせる側（閉位置側）へ押圧する。そのため、シャットダンパが閉位置へ向けて傾動されるときに、各シール部の全体が、対応する被シール部の全体に同時に勢いよく当たり、大きな打音が発生するおそれがある。
【０００８】
本発明は、このような実情に鑑みてなされたものであって、その目的は、シャットダンパにより通風路を閉鎖する際の打音を低減することのできる空調用レジスタを提供することにある。
【課題を解決するための手段】
【０００９】
上記課題を解決する空調用レジスタは、空調用空気の通風路を有する筒状のリテーナと、前記リテーナ内に配置され、かつダンパ軸を支点として、前記通風路を開放する開位置及び閉鎖する閉位置の間で傾動するシャットダンパとを備え、前記シャットダンパの周縁部の一部は、前記ダンパ軸から径方向における外方へ遠ざかった箇所において、同ダンパ軸の軸線に平行に延びる一対のシール部により構成され、前記リテーナの内壁面には、前記シャットダンパが前記閉位置にあるときに前記シール部がそれぞれ接触する一対の被シール部が形成された空調用レジスタであって、前記軸線に沿う方向における各被シール部の少なくとも一部は、同軸線に対し傾斜している。
【００１０】
上記の構成によれば、シャットダンパが開位置まで傾動されると、各シール部が被シール部から大きく離間し、通風路が大きく開放される。そのため、空調用空気は、流れ方向におけるシャットダンパの下流側へ流れることが可能である。
【００１１】
この状態から、シャットダンパによって通風路を閉鎖する場合には、同シャットダンパがダンパ軸を支点として閉位置に向けて傾動される。この傾動に伴い、シャットダンパの周縁部の一部のうち、ダンパ軸から径方向における外方へ遠ざかった箇所において、同ダンパ軸の軸線に平行に延びる一対のシール部が、リテーナにおいて対応する被シール部に接近する。シャットダンパが閉位置まで傾動すると、シール部が、対応する被シール部に接触することで、両者の間がシールされる。このときには、シール部と被シール部との接触に伴い打音が発生するおそれがある。
【００１２】
ここで、各シール部がダンパ軸の軸線に平行に延びているのに対し、同軸線に沿う方向における各被シール部の少なくとも一部が、同軸線に対し傾斜している。そのため、シール部と被シール部とが同時に接触する面積は、被シール部の全体が、シール部と同様に、軸線に平行に延びている場合に比べ少なくなる。従って、シール部と被シール部との接触に伴う打音が低減される。
【００１３】
上記空調用レジスタにおいて、前記軸線に沿う方向における各被シール部の全体は、同軸線に対し傾斜していることが好ましい。
上記の構成によれば、ダンパ軸の軸線に沿う方向における各被シール部の全体が、同軸線に対し傾斜しているため、シャットダンパの傾動に伴い、シール部と被シール部とが同時に接触する面積は、被シール部の一部のみが軸線に対し傾斜している場合よりも小さくなる。そのため、シール部と被シール部との接触に伴う打音がより低減される。
【００１４】
上記空調用レジスタにおいて、前記軸線に沿う方向における各被シール部の全体は、同軸線に対し単一の角度で傾斜していることが好ましい。
上記の構成によれば、ダンパ軸を支点とするシャットダンパの傾動に伴い、シール部が被シール部に対し徐々に接触する。シール部と被シール部とが同時に接触する面積は、シャットダンパの傾動に伴い同程度ずつ増加してゆく。そのため、シール部が被シール部に接触し始めてから、同シール部の全体が被シール部に接触するまでの期間中、シール部と被シール部との接触に伴う打音が安定して低減される。
【００１５】
上記空調用レジスタにおいて、一対の前記被シール部は、前記軸線に対し互いに同一の角度で傾斜していることが好ましい。
上記の構成によれば、一方のシール部が、対応する被シール部に接触する際に生ずる打音と、他方のシール部が、対応する被シール部に接触する際に生ずる打音とが同程度となる。
【００１６】
上記空調用レジスタにおいて、前記シャットダンパは、前記ダンパ軸から前記空調用空気の流れ方向における上流側へ延びる一対のダンパプレートを備え、両ダンパプレートは、前記ダンパ軸を支点として互いに反対方向へ傾動され、前記ダンパプレート毎の前記シール部は、前記開位置では両被シール部間の中間部分で互いに隣接し、前記閉位置では、前記流れ方向に対し傾斜した状態で前記被シール部に接触するものであることが好ましい。
【００１７】
上記の構成によるように、シャットダンパが一対のダンパプレートを備えるものである場合、開位置では、ダンパプレート毎のシール部が、両被シール部間の中間部分で互いに隣接する。各シール部が、対応する被シール部から大きく離間し、通風路が大きく開放される。そのため、空調用空気は、流れ方向におけるシャットダンパよりも下流側へ流れることが可能である。
【００１８】
この状態から、シャットダンパによって通風路を閉鎖する場合、両ダンパプレートが、それぞれのダンパ軸を支点として、閉位置に向けて、互いに反対方向（遠ざかる方向）へ傾動される。この傾動に伴い、ダンパプレート毎の周縁部におけるシール部が、対応する被シール部に接近し、上記流れ方向に対し傾斜した状態となる。各ダンパプレートが閉位置まで傾動すると、シール部が、対応する被シール部に接触する。ダンパプレート毎のシール部が、対応する被シール部との間をシールし、通風路を閉鎖する。そのため、空調用空気は、シャットダンパよりも上記流れ方向における下流側へ流れることを規制される。
【００１９】
ここで、空調用空気は、両ダンパプレートを開かせる側へ押圧する。そのため、仮に、被シール部の全体が、ダンパ軸の軸線に平行に延びていると、各ダンパプレートが閉位置へ向けて傾動されるときに、各シール部の全体が、対応する被シール部の全体に勢いよく当たり、大きな打音が発生するおそれがある。
【００２０】
これに対し、上記の構成によれば、ダンパプレート毎のシール部が、ダンパ軸の軸線に平行に延びているのに対し、同軸線に沿う方向における各被シール部の少なくとも一部が、同軸線に対し傾斜している。そのため、シール部と被シール部とが同時に接触する面積は、被シール部の全体が上記軸線に平行に延びている場合に比べ少なくなる。従って、ダンパプレート毎のシール部と対応する被シール部との接触に伴う打音は、効果的に低減される。
【発明の効果】
【００２１】
上記空調用レジスタによれば、シャットダンパにより通風路を閉鎖する際の打音を低減することができる。
【図面の簡単な説明】
【００２２】
【図１】車両用の空調用レジスタに具体化した一実施形態を示す図であり、同空調用レジスタを空調用空気の流れ方向における上流側から見た背面図。
【図２】図１における２−２線断面図。
【図３】図２における３−３線断面図。
【図４】図２における４−４線部分断面図。
【図５】（ａ）は、図３におけるシール部と被シール部との関係を拡大して示す説明図、（ｂ）は、図５（ａ）の一部を拡大して示す説明図。
【図６】図４におけるシール部と被シール部との関係を拡大して示す説明図。
【図７】（ａ）〜（ｃ）は、シャットダンパの閉位置へ向かう傾動に伴い、シール部が被シール部に徐々に接触する様子を示す説明図。
【発明を実施するための形態】
【００２３】
以下、車両用の空調用レジスタに具体化した一実施形態について、図面を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００２４】
車室内において、車両の前席（運転席及び助手席）の前方にはインストルメントパネルが設けられ、その左右方向における中央部、側部等には空調用レジスタが組込まれている。図１及び図２に示すように、空調用レジスタ１０の外殻部分は、両端が開口された筒状のリテーナ１１によって構成されている。リテーナ１１は、空調装置の送風ダクト（図示略）と、インストルメントパネルに設けられた開口（図示略）とを繋ぐためのものであり、本実施形態では複数の部材を組み付けることによって構成されている。
【００２５】
リテーナ１１の内部空間は、送風ダクトを通じて空調装置から送られてくる空調用空気Ａ１の流路（以下「通風路１２」という）を構成している。ここで、空調用空気Ａ１の流れ方向に関し、空調装置に近い側（図２では右側）を「上流」、「上流側」等といい、同空調装置から遠い側（図２では左側）を「下流」、「下流側」等というものとする。通風路１２は、上流端に空調用空気Ａ１の流入口１３を有し、下流端に同空調用空気Ａ１の吹出口１４を有している。
【００２６】
上記通風路１２は、リテーナ１１の４つの壁部によって取り囲まれている。これらの４つの壁部は、左右方向に相対向する一対の側壁部１５と、上下方向に相対向する上壁部１６及び底壁部１７とからなる。リテーナ１１内には、吹出口１４から上流に向けて順に、フィン及びシャットダンパ２５が配置されている。
【００２７】
フィンは、複数の下流フィン２１と、複数の上流フィン２２とを備えている。
複数の下流フィン２１は、吹出口１４から吹き出される空調用空気Ａ１の上下方向の向きを変更するためのものであり、吹出口１４の上流近傍において、互いに上下方向に離間した状態で左右方向へ延びている。各下流フィン２１は、左右方向に延びる下流フィン軸（図示略）により、両側壁部１５に対し、上下方向への傾動可能に支持されている。全ての下流フィン２１は、リンク機構（図示略）により機械的に連結されており、互いに同じ傾向の傾きとなるように同期した状態で傾動される。
【００２８】
複数の上流フィン２２は、吹出口１４から吹き出される空調用空気Ａ１の左右方向の向きを変更するためのものであり、上記下流フィン２１よりも上流において、互いに左右方向に離間した状態で上下方向へ延びている。図２では、１つの上流フィン２２における一部分が図示されている。各上流フィン２２は、上下方向に延びる上流フィン軸（図示略）により、上壁部１６及び底壁部１７に対し、左右方向へ傾動可能に支持されている。全ての上流フィン２２は、リンク機構（図示略）により機械的に連結されており、互いに同じ傾向の傾きとなるように同期した状態で傾動される。
【００２９】
シャットダンパ２５は、リテーナ１１内の上流フィン２２よりも上流側で通風路１２を開放及び閉鎖するためのものであり、上下一対のダンパプレート２６，２７を備えている。
【００３０】
ダンパプレート２６，２７毎の下流部には、左右方向に延びるダンパ軸２８が設けられている。ダンパ軸２８は、図２では「×」で示す箇所に設けられている。
図２〜図４に示すように、シャットダンパ２５の周縁部の一部は、ダンパ軸２８から径方向における外方へ遠ざかった箇所において、同ダンパ軸２８の軸線Ｌ１（図５（ａ）、図６参照）に平行に延びる一対のシール部３１，３２によって構成されている。シャットダンパ２５が上下一対のダンパプレート２６，２７を備える本実施形態では、上側のダンパプレート２６がシール部３１を有し、下側のダンパプレート２７がシール部３２を有している。ダンパプレート２６，２７毎のシール部３１，３２は、ダンパ軸２８よりも上流側に位置している。シール部３１，３２は、ダンパプレート２６，２７の他の部分、及びリテーナ１１よりも軟質の材料によって形成されている。
【００３１】
なお、図５（ａ）及び図６に示すように、シール部３１には、小さな複数の凹凸部３０が、上記軸線Ｌ１に沿って形成されている。これは、シャットダンパ２５を開位置から閉位置へ傾動させる場合、閉位置に達する直前にシール部３１と被シール部３４との間で大きな渦が発生しても、凹凸部３０を通過させることで小さな渦に分け、風切り音（笛吹音）を抑制するためである。同様の凹凸部３０は、図示はしないが、シール部３２にも形成されている。
【００３２】
各ダンパプレート２６，２７は、ダンパ軸２８を支点として、図２において実線で示すように通風路１２を大きく開放する開位置と、同図２において二点鎖線で示すように通風路１２を閉鎖する閉位置との間で、互いに反対方向へ傾動される。
【００３３】
ところで、図２に示すように、上壁部１６の内壁面において、流入口１３の下流近傍には段差部３３が形成されている。また、底壁部１７の内壁面において、流入口１３の下流近傍には段差部３５が形成されている。段差部３５は段差部３３の下方に位置している。上壁部１６の内壁面と底壁部１７の内壁面との上下方向の間隔は、両段差部３３，３５よりも上流では、下流よりも広くなっている。
【００３４】
段差部３３には、上側のダンパプレート２６が閉位置へ傾動されたときに、シール部３１が接触される被シール部３４が形成されている。この被シール部３４は、上側ほど上流に位置するように上記流れ方向に対し傾斜している。同様に、段差部３５には、下側のダンパプレート２７が閉位置へ傾動されたときに、シール部３２が接触される被シール部３６が形成されている。この被シール部３６は、下側ほど上流に位置するように上記流れ方向に対し傾斜している。従って、両被シール部３４，３６の上下方向の間隔は、上流側ほど大きくなる。
【００３５】
さらに、図５（ａ）及び図６に示すように、上記ダンパ軸２８の軸線Ｌ１に沿う方向（左右方向）における被シール部３４の全体は、同軸線Ｌ１に対し、単一の角度θ１で傾斜している。なお、図示はしないが、被シール部３６の全体も、軸線Ｌ１に対し単一の角度θ１で傾斜している。本実施形態では、両被シール部３４，３６は、ともに左側ほど上流側に位置するように、軸線Ｌ１に対し、１°程度の角度θ１、本実施形態では、０．８°の角度θ１で傾斜している。
【００３６】
図５（ｂ）に示すように、被シール部３４には、軸線Ｌ１に沿って複数の凹部３７が形成されている。同様の凹部３７は、図示はしないが、被シール部３６にも形成されている。各凹部３７は、被シール部３４，３６において開口し、下流側へ向けて凹んでいる。こうした複数の凹部３７が一定間隔毎に形成されることで、各被シール部３４，３６は、軸線Ｌ１に沿って波打っている。
【００３７】
図２に示すように、空調用レジスタ１０は、さらに、下流フィン２１、上流フィン２２及びシャットダンパ２５を作動させる際に操作される操作ノブ４１を備えている。操作ノブ４１は、複数の部材を組付けることによって構成されている。これらの部材は、大きくは、ノブ本体４２を構成するものと、回転部４３を構成するものとからなる。ノブ本体４２は、上下方向における中間部分の下流フィン２１に対し、左右方向へスライド可能に装着されている。回転部４３は、ノブ本体４２に対し回転可能に装着されている。
【００３８】
操作ノブ４１の上流には、空調用空気Ａ１の流れ方向に沿って延びる伝達シャフト４４が配置されている。伝達シャフト４４の下流端部は、ジョイント４５により、操作ノブ４１の上記回転部４３に対し、屈曲可能かつ回転伝達可能に連結されている。
【００３９】
伝達シャフト４４と両ダンパプレート２６，２７との間には、同伝達シャフト４４を介して伝達される回転部４３の回転の方向を変更して同ダンパプレート２６，２７に伝達するための回転方向変換機構ＴＭ１が設けられている。回転方向変換機構ＴＭ１は、上側のダンパプレート２６の下流側に設けられたアーム部４６と、下側のダンパプレート２７の下流側に設けられたアーム部４７と、カム部材４８とを備えている。上側のアーム部４６は、摺動端部４６ａを下流端部に備えている。下側のアーム部４７は、摺動端部４７ａを下流端部に備えている。
【００４０】
両ダンパプレート２６，２７には、両端が開放された外筒部材４９が支持されており、カム部材４８はこの外筒部材４９に回転可能に装着されている。カム部材４８は、上記摺動端部４６ａ，４７ａが摺動可能に係合されるカム溝５１を外面に有している。
【００４１】
上記伝達シャフト４４の上流端部は、上流側のジョイント５２によりカム部材４８に対し、屈曲可能かつ回転伝達可能に連結されている。
次に、上記のように構成された本実施形態の作用及び効果について説明する。
【００４２】
図２の実線は、両ダンパプレート２６，２７がともに開位置にあるときの状態を示している。両ダンパプレート２６，２７は、両被シール部３４，３６間の略中央部分で、互いに隣接する。このとき、両シール部３１，３２は、空調用空気Ａ１の流れ方向、上壁部１６及び底壁部１７に対し略平行となる。上側のシール部３１が被シール部３４から下方へ大きく離間し、下側のシール部３２が被シール部３６から上方へ大きく離間することで、通風路１２が大きく開放（全開）されている。そのため、空調用空気Ａ１は、ダンパプレート２６，２７の上側と下側とに分かれて流れる。両ダンパプレート２６，２７を通過した空調用空気Ａ１は、上流フィン２２、下流フィン２１等に沿って流れた後、吹出口１４から吹き出す。
【００４３】
シャットダンパ２５の開位置から閉位置への切替えは、操作ノブ４１における回転部４３をノブ本体４２に対し、一方の方向へ回転させることにより行なわれる。回転部４３の上記回転は、下流側のジョイント４５、伝達シャフト４４及び上流側のジョイント５２を介してカム部材４８に伝達される。カム部材４８が回転し、カム溝５１において摺動端部４６ａ，４７ａが係合される位置が、それぞれ変化する。両係合位置の変化に伴い、各ダンパプレート２６，２７がダンパ軸２８を支点として、それぞれ閉位置に向けて、互いに反対方向（遠ざかる方向）へそれぞれ傾動される。すなわち、上側のダンパプレート２６は反時計回り方向へ傾動され、下側のダンパプレート２７は時計回り方向へ傾動される。これらの傾動により、ダンパプレート２６，２７毎の周縁部におけるシール部３１，３２が、リテーナ１１の対応する被シール部３４，３６に接近し、通風路１２の開度が減少する。上側のダンパプレート２６が、上流側ほど高くなるように傾斜した状態となり、下側のダンパプレート２７が、上流側ほど低くなるように傾斜した状態となる。
【００４４】
回転部４３の回転により、図２において二点鎖線で示すように、両ダンパプレート２６，２７がともに閉位置に達すると、シール部３１が被シール部３４に接触し、シール部３２が被シール部３６に接触する。両ダンパプレート２６，２７はダンパ軸２８を支点として屈曲した状態となり、シール部３１，３２が、対応する被シール部３４，３６との間をシールし、通風路１２を閉鎖する。そのため、空調用空気Ａ１は、シャットダンパ２５を通過して、それよりも下流側へ流れることを規制される。吹出口１４からの空調用空気Ａ１の吹き出しが停止される。
【００４５】
上記のようにシール部３１，３２が被シール部３４，３６に接触するときには、その接触に伴い打音が発生するおそれがある。特に、本実施形態のように、ダンパ軸２８からそれぞれ上流側へ延びる一対のダンパプレート２６，２７に対しては、空調用空気Ａ１が両ダンパプレート２６，２７を開かせる側へ押圧する。そのため、仮に、被シール部３４，３６のそれぞれの全体が、ダンパ軸２８の軸線Ｌ１に対し傾斜していない（軸線Ｌ１に平行である）と、シャットダンパ２５が閉位置へ傾動されるときに、各シール部３１，３２の全体が、対応する被シール部３４，３６の全体に勢いよく当たり、大きな打音が発生するおそれがある。
【００４６】
ここで、本実施形態では、図５（ａ）及び図６に示すように、ダンパプレート２６，２７毎のシール部３１，３２がダンパ軸２８の軸線Ｌ１に平行に延びているのに対し、同軸線Ｌ１に沿う方向における各被シール部３４，３６の全体が、ともに左側ほど上流側に位置するように、同軸線Ｌ１に対し単一の角度θ１で傾斜している。
【００４７】
そのため、上側のダンパプレート２６の傾動に伴いシール部３１が閉位置に近づくと、同シール部３１の被シール部３４との間隔は、軸線Ｌ１に沿う方向で異なる。この間隔は、図７（ａ）に示すように、シール部３１の左端部で最も狭く、右側ほど広くなり、右端部で最大となる。
【００４８】
従って、ダンパプレート２６の傾動に伴い、図７（ｂ）に示すように、シール部３１の左端部が最初に被シール部３４の左端部に接触する。シール部３１の被シール部３４に対する接触部分は、ダンパプレート２６の傾動に伴い、図７（ｃ）に示すように、右側へ移ってゆく。ダンパプレート２６が閉位置まで傾動すると、図５（ａ）及び図６に示すように、シール部３１の右端部が被シール部３４の右端部に接触する、又は接触により撓む。シール部３１の被シール部３４との接触面積は、ダンパプレート２６の閉位置側への傾動に伴い増加してゆく。なお、図７（ｃ）等において、シール部３１のうち被シール部３４と交差した状態で図示されている部分は、実際には被シール部３４との接触により撓み、同被シール部３４と干渉している。
【００４９】
また、図示はしないが、下側のダンパプレート２７についても、上記上側のダンパプレート２６と同様に、傾動に伴い、シール部３２が左端部から右端部に向けて順に被シール部３６に接触する。シール部３２の被シール部３６との接触面積は、ダンパプレート２７の閉位置側への傾動に伴い増加してゆく。
【００５０】
従って、シール部３１，３２と被シール部３４，３６とが同時に接触する面積は、被シール部３４，３６の全体が上記軸線Ｌ１に平行である場合に比べ少なくなる。その結果、ダンパプレート２６，２７毎のシール部３１，３２と、これに対応する被シール部３４，３６との接触に伴う打音を低減することができる。
【００５１】
特に、本実施形態では、軸線Ｌ１に沿う方向における各被シール部３４，３６の全体が、同軸線Ｌ１に対し傾斜しているため、シール部３１，３２と被シール部３４，３６とが同時に接触する面積は、同被シール部３４，３６の一部のみが傾斜している場合よりも小さくなる。従って、シール部３１，３２と被シール部３４，３６との接触に伴う打音をより低減することができる。
【００５２】
また、本実施形態では、上記軸線Ｌ１に沿う方向における各被シール部３４，３６の全体が、同軸線Ｌ１に対し、単一の角度θ１で傾斜しているため、シール部３１，３２と被シール部３４，３６とが同時に接触する面積は、シャットダンパ２５の傾動に伴い同程度ずつ増加してゆく。そのため、シール部３１，３２が被シール部３４，３６に接触し始めてから、同シール部３１，３２の全体が被シール部３４，３６に接触するまでの期間中、シール部３１，３２と被シール部３４，３６との接触に伴う打音を安定して低減することができる。
【００５３】
さらに、本実施形態では、上側の被シール部３４が、軸線Ｌ１に対し傾斜する角度θ１と、下側の被シール部３６が、上記軸線Ｌ１に対し傾斜する角度θ１とが、同一に設定されている。そのため、上側のシール部３１及び被シール部３４の接触に伴い生ずる打音と、下側のシール部３２及び被シール部３６の接触に伴い生ずる打音とを同程度ずつ低減することができる。
【００５４】
なお、ダンパプレート２６，２７の上記閉位置から開位置への切替えは、図２に示すように、操作ノブ４１における回転部４３がノブ本体４２に対し、上記とは逆の方向に回転されることによりなされる。回転部４３の上記回転は、下流側のジョイント４５、伝達シャフト４４及び上流側のジョイント５２を介してカム部材４８に伝達される。カム部材４８が回転し、各ダンパプレート２６，２７がダンパ軸２８を支点として、それぞれ開位置に向けて、互いに反対方向（近づく方向）へそれぞれ傾動される。すなわち、上側のダンパプレート２６が時計回り方向へ傾動し、下側のダンパプレート２７が反時計回り方向へ傾動する。これらの傾動により、ダンパプレート２６，２７毎の周縁部におけるシール部３１，３２が、対応する被シール部３４，３６から遠ざかり、通風路１２の開度が増大する。両ダンパプレート２６，２７が開位置に達すると、シール部３１，３２が上壁部１６及び底壁部１７に対し略平行な状態で互いに隣接し、通風路１２が大きく開放される。
【００５５】
上記のように、回転部４３を回転操作することで通風路１２の開度を変化させ、通風路１２においてシャットダンパ２５を通過する空調用空気Ａ１の量を調整することができる。
【００５６】
本実施形態によると、上記以外にも、次の効果が得られる。
・本実施形態では、各被シール部３４，３６に、ダンパ軸２８の軸線Ｌ１に沿って複数の凹部３７が形成されている（図５（ｂ））。
【００５７】
そのため、空調用空気Ａ１が各凹部３７を通過する際に整流され、騒音の発生が抑制される。また、被シール部３４，３６に凹部３７が設けられることで、ダンパプレート２６，２７がそれぞれ閉位置に傾動されたときの被シール部３４，３６とシール部３１，３２との接触面積が、凹部３７が設けられない場合よりも小さくなり、接触に伴う打音をさらに小さくすることができる。
【００５８】
なお、上記実施形態は、これを以下のように変更した変形例として実施することもできる。
＜シャットダンパ２５について＞
・シャットダンパ２５は、ダンパプレートが一対のダンパプレート２６，２７によって構成されるものから、１枚のダンパプレートによって構成され、ダンパ軸を支点として開位置と閉位置との間で傾動されるものに変更されてもよい。この場合にも、上記実施形態と同様の作用及び効果が得られる。
【００５９】
・シャットダンパ２５を開位置と閉位置との間で傾動させるための駆動機構として、上記実施形態とは異なる構成が採用されてもよい。
例えば、吹出口１４の周りに操作ダイヤルが回動可能に支持され、この操作ダイヤルとシャットダンパのダンパ軸とが、リンク機構、カム機構等により連結されてもよい。この場合、操作ダイヤルを回動させることで、その回動をリンク機構等によりダンパ軸に伝達し、シャットダンパを開位置と閉位置との間で傾動させてもよい。
【００６０】
・シャットダンパ２５は、ダンパ軸２８により、両側壁部１５に代え、上壁部１６及び底壁部１７に対し傾動可能に支持されるものであってもよい。
・シール部３１，３２における凹凸部３０が省略されてもよい。
【００６１】
＜被シール部３４，３６について＞
・上側の被シール部３４が、ダンパ軸２８の軸線Ｌ１に対し傾斜する角度θ１と、下側の被シール部３６が、上記軸線Ｌ１に対し傾斜する角度θ１とが、異なっていてもよい。
【００６２】
・各被シール部３４，３６が、ダンパ軸２８の軸線Ｌ１に対し、上記実施形態とは反対側に傾斜、すなわち、右側ほど上流側に位置するように傾斜してもよい。
・上側の被シール部３４と、下側の被シール部３６とが、ダンパ軸２８の軸線Ｌ１に対し、互いに反対方向に傾斜してもよい。すなわち、一方の被シール部３４（３６）は、軸線Ｌ１に対し、左側ほど上流側に位置するように傾斜し、他方の被シール部３６（３４）は、軸線Ｌ１に対し、右側ほど上流側に位置するように傾斜してもよい。
【００６３】
・ダンパ軸２８の軸線Ｌ１に沿う方向における各被シール部３４，３６の一部のみが、同軸線Ｌ１に対し傾斜してもよい。この場合であっても、シール部３１，３２と被シール部３４，３６とが同時に接触する面積は、被シール部３４，３６の全体が軸線Ｌ１に平行に延びている場合に比べ少なくなる。従って、シール部３１，３２と被シール部３４，３６との接触に伴う打音を低減する効果が得られる。
【００６４】
・被シール部３４，３６がダンパ軸２８の軸線Ｌ１に対しなす角度θ１は、上記実施形態のように単一に設定されてもよいが、同軸線Ｌ１に沿う方向における部位によって異なっていてもよい。
【００６５】
例えば、被シール部３４，３６は、軸線Ｌ１に沿う方向における中央部分が上流側へ膨らむように湾曲されてもよいし、これとは逆に、同中央部分が下流側へ凹むように湾曲されてもよい。
【００６６】
また、被シール部３４，３６は、軸線Ｌ１に沿う方向における中央部分が上流側へ突出する山形状に屈曲されてもよいし、これとは逆に、同中央部分が下流側へ凹む谷形状に屈曲されてもよい。
【００６７】
・各被シール部３４，３６が上記軸線Ｌ１に対し傾斜する角度θ１が大きくなるに従い、シール部３１，３２の被シール部３４，３６との接触に伴う打音を低減する効果が大きくなる。その反面、シール部３１，３２と被シール部３４，３６との間のシール性が低下するおそれがある。従って、角度θ１の設定に際しては、打音の低減とシール性の確保とを両立できる値に設定されることが望ましい。
【００６８】
・被シール部３４，３６における凹部３７が省略されてもよい。
＜フィンについて＞
・上流フィン２２及び下流フィン２１の少なくとも一方が省略されてもよい。また、上流フィン２２及び下流フィン２１に対し、他のフィンが加えられてもよい。
【００６９】
＜適用箇所について＞
・上記空調用レジスタは、車室内においてインストルメントパネルとは異なる箇所、例えばダッシュボードに組込まれるものにも適用可能である。
【００７０】
・上記空調用レジスタは、空調用空気の通風路を開放及び閉鎖するシャットダンパを有するものであれば、車両に限らず広く適用可能である。
【符号の説明】
【００７１】
１０…空調用レジスタ、１１…リテーナ、１２…通風路、２５…シャットダンパ、２６，２７…ダンパプレート、２８…ダンパ軸、３１，３２…シール部、３４，３６…被シール部、Ａ１…空調用空気、Ｌ１…軸線、θ１…角度。
【図１】
2020050137.tif 000003
【図２】
2020050137.tif 000004
【図３】
2020050137.tif 000005
【図４】
2020050137.tif 000006
【図５】
2020050137.tif 000007
【図６】
2020050137.tif 000008
【図７】
2020050137.tif 000009